(57)【特許請求の範囲】
【請求項１】
表示手段にスライド表示するための画像データと、コンピュータを、前記表示手段に前記画像データを基にした画像をスライド表示させるための手段として機能させるプログラムとが記録されたコンピュータ読み取り可能な情報記録媒体において、
異なる種類の画像再生機器の各々に対応したフォーマットの、前記画像データ及び前記プログラムのセットが複数記録されており、
各々の前記セットに属する前記画像データの記録フォーマット及び解像度が相異なることを特徴とする情報記録媒体。
【請求項２】
前記情報記録媒体に、前記画像データを基にして生成された動画データが、前記異なる種類の画像再生機器のいずれかに対応するフォーマットで記録されていることを特徴とする請求項１記載の情報記録媒体。
【請求項３】
前記動画データは、各々の前記画像データに、予め定められたスライド効果に基づいて計算される差分データを付加して生成されたものであることを特徴とする請求項２記載の情報記録媒体。
【請求項４】
前記情報記録媒体に、前記異なる種類の画像再生機器の各々に対応したフォーマットの楽曲音声データが記録されていることを特徴とする請求項１乃至３のいずれか一に記載の情報記録媒体。
【請求項５】
前記異なる種類の画像再生機器に、コンピュータ端末とＤＶＤプレーヤーとを含むことを特徴とする請求項１乃至４のいずれか一に記載の情報記録媒体。
【請求項６】
顧客が提供したフィルム又は情報記録媒体から画像データを読み取るステップと、読み取った前記画像データを異なる種類の画像再生機器の各々に対応するフォーマットに変換するステップと、情報記録媒体に、前記異なる種類の画像再生機器の各々に対応するフォーマットの、前記画像データと、コンピュータを、表示手段に前記画像データを基にした画像をスライド表示させるための手段として機能させるプログラムとのセットを複数記録するステップと、を少なくとも有し、
前記変換ステップにおいて、各々の前記セットに属する前記画像データを相異なる記録フォーマット及び解像度に変換することを特徴とする情報記録媒体の生産方法。
【請求項７】
更に、前記画像データを基にして動画データを生成するステップを備え、前記記録ステップにおいて、前記情報記録媒体に、前記動画データを前記異なる種類の画像再生機器のいずれかに対応するフォーマットで記録することを特徴とする請求項６記載の情報記録媒体の生産方法。
【請求項８】
前記動画データ生成ステップでは、各々の前記画像データに、予め定められたスライド効果に基づいて計算される差分データを付加して動画データを生成することを特徴とする請求項７記載の情報記録媒体の生産方法。
【請求項９】
前記記録ステップにおいて、前記情報記録媒体に、前記異なる種類の画像再生機器の各々に対応したフォーマットの楽曲音声データを記録することを特徴とする請求項６乃至８のいずれか一に記載の情報記録媒体の生産方法。
【請求項１０】
前記異なる種類の画像再生機器に、コンピュータ端末とＤＶＤプレーヤーとを含むことを特徴とする請求項６乃至９のいずれか一に記載の情報記録媒体の生産方法。
【発明の詳細な説明】
【０００１】
【発明の属する技術分野】
本発明は、パソコン等のコンピュータ端末又はＤＶＤプレーヤー等の家庭用画像再生機器の複数の機器で使用可能な情報記録媒体及びその生産方法に関する。
【０００２】
【従来の技術】
近年、カメラで撮影した写真をデジタル画像データとして取り扱う顧客が増えている。例えば、デジタルカメラでは、メモリーカード等の情報記録媒体に記憶された画像データをパソコン等のコンピュータ端末で読み込み、パソコンにインストールされた画像表示ソフトを用いて再生することにより写真画像をパソコン上で閲覧することができる。
【０００３】
また、フィルムカメラで撮影した写真をデジタルデータに変換するサービスも行われており、例えば、ラボ等のフォトサービス店舗やコンビニエンスストア等の注文店舗に顧客が撮影したネガフィルムを持ち込むと、フォトサービス店舗では、ネガフィルムを現像した後、スキャナ等で画像データを読み取り、読み取った画像データをＣＤ−Ｒ等の情報記録媒体に書き込むといったサービスが行われている。
【０００４】
そして、画像データが書き込まれたＣＤ−Ｒ等の情報記録媒体を受け取った顧客は、自宅のパソコンで画像表示ソフトを用いて再生することにより、パソコン上で写真画像を閲覧することができ、デジタルカメラを所有していない顧客であっても、写真をデジタル画像データとして取り扱うことができる。
【０００５】
【発明が解決しようとする課題】
しかしながら、上述したサービスは画像データをパソコン等のコンピュータ端末で閲覧することを前提としているため、画像データを見るためにはパソコンが必要であり、かつ、パソコンの操作にある程度習熟していることが求められる。従って、パソコン操作に不慣れな顧客は、情報記録媒体を受け取っても気軽に写真画像を閲覧することはできない。
【０００６】
一方、近年、ＤＶＤプレーヤーのような家庭用画像再生機器が低価格で提供されるようになってきており、これらの家庭用画像再生機器は一般の家電製品と同様に簡単な操作で画像や音声を再生することができ、パソコン操作に不慣れな顧客でも容易に操作することができる。しかし、このような家庭用画像再生機器は、通常、静止画を記録するフォーマットであるＪＰＥＧなどを再生することはできないため、従来の情報記録媒体では、これらの家庭用画像再生機器を利用することはできない。
【０００７】
本発明は、上記問題点に鑑みてなされたものであって、その主たる目的は、パソコン等のコンピュータ端末でも、ＤＶＤプレーヤーのような家庭用画像再生機器でも、簡単に写真画像を閲覧することができる情報記録媒体及びその生産方法を提供することにある。
【０００８】
【問題を解決するための手段】
上記目的を達成するため、本発明の情報記録媒体は、表示手段にスライド表示するための画像データと、コンピュータを、前記表示手段に前記画像データを基にした画像をスライド表示させるための手段として機能させるプログラムとが記録されたコンピュータ読み取り可能な情報記録媒体において、異なる種類の画像再生機器の各々に対応したフォーマットの、前記画像データ及び前記プログラムのセットが複数記録されており、各々の前記セットに属する前記画像データの記録フォーマット及び解像度が相異なるものである。
【００１１】
また、本発明においては、前記情報記録媒体に、前記画像データを基にして生成された動画データが、前記異なる種類の画像再生機器のいずれかに対応するフォーマットで記録されている構成とすることができ、前記動画データは、各々の前記画像データに、予め定められたスライド効果に基づいて計算される差分データを付加して生成されることが好ましい。
【００１２】
また、本発明においては、前記情報記録媒体に、前記異なる種類の画像再生機器の各々に対応したフォーマットの楽曲音声データが記録されている構成とすることもできる。
【００１３】
また、本発明においては、前記異なる種類の画像再生機器に、コンピュータ端末とＤＶＤプレーヤーとを含むことが好ましい。
【００１４】
また、本発明の情報記録媒体の生産方法は、顧客が提供したフィルム又は情報記録媒体から画像データを読み取るステップと、読み取った前記画像データを異なる種類の画像再生機器の各々に対応するフォーマットに変換するステップと、情報記録媒体に、前記異なる種類の画像再生機器の各々に対応するフォーマットの、前記画像データと、コンピュータを、表示手段に前記画像データを基にした画像をスライド表示させるための手段として機能させるプログラムとのセットを複数記録するステップと、を少なくとも有し、前記変換ステップにおいて、各々の前記セットに属する前記画像データを相異なる記録フォーマット及び解像度に変換するものである。
【００１５】
このように、本発明の構成によれば、顧客が持ち込んだフィルム等から、パソコン等のコンピュータ端末で再生可能な形式の静止画像データと、ＤＶＤプレーヤー等の家庭用画像再生機器で再生可能な形式の静止画像データと、静止画像データに基づく動画データとが生成され、情報記録媒体には、これら複数の画像再生機器の各々に対応した画像データと、パソコンで静止画像データをスライド表示するためのスライドショープログラム及び家庭用画像再生機器で静止画像データを表示するためのアプリケーションと、必要に応じてこれらの画像再生機器で再生可能な楽曲音声データとを含むセットが２種類記録されるため、パソコンの操作に不慣れな顧客は、ＤＶＤプレーヤー等の家庭用画像再生機器を用いて画像データを再生して写真画像を楽しむことができ、また、パソコンの操作に慣れた顧客は、スライドショープログラムを用いて画像データを表示することができ、顧客の使用形態に応じて写真画像を閲覧することができる。
【００１６】
また、パソコン用の静止画像データの解像度と家庭用画像再生機器用の静止画像データの解像度とを変えることもでき、パソコン用の静止画像データの解像度を高くすることにより、高精細な写真画像を閲覧したり、高精細な画像をプリントアウトしたい顧客はパソコン等のコンピュータ端末によりスライドショープログラムを用いて静止画像データを再生すれば良く、また、写真画像データの解像度にはこだわらず簡便に写真画像を閲覧したい顧客は、ＤＶＤプレーヤー等の家庭用画像再生機器を用いて画像データを再生すれば良く、顧客の好みに応じた写真画像を提供することができる。
【００１７】
【発明の実施の形態】
本発明に係る情報記録媒体は、その好ましい一実施の形態において、パソコン等のコンピュータ端末とＤＶＤプレーヤー等の家庭用画像再生機器等の異なる２種類の画像再生機器の各々に対応した形式の静止画像データと、静止画像データから生成した動画データと、静止画像データを各々の画像再生機器でスライド表示するためのアプリケーションと、必要に応じてスライド表示に際して再生される楽曲音声データとを含むセットが２種類記録されているものであり、情報記録媒体を受け取った顧客は、パソコン等のコンピュータ端末、又は、ＤＶＤプレーヤー等の家庭用画像再生機器のいずれを用いても、各々の画像再生機器に適した形式で記録された画像データを用いて写真画像を閲覧することができる。また、各々の画像再生機器用の画像データの解像度を変えることにより、顧客の好みや使用形態に合わせて写真画像を楽しむことができる。
【００１８】
【実施例】
上記した本発明の実施の形態についてさらに詳細に説明すべく、本発明の一実施例に係る情報記録媒体及びその生産方法ついて、図１乃至図１０を参照して説明する。図１は、本発明の一実施例に係る情報記録媒体生産システムの構成を模式的に示す図であり、図２は、情報記録媒体の生産を行うラボ等のフォトサービス店舗に備える手段を示すブロック図である。また、図３は、本実施例の情報記録媒体の生産方法の手順を示すフローチャート図であり、図４は、情報記録媒体のフォルダ構成を示す図である。また、図５乃至図８は、動画データの生成手順を示す図であり、図９及び図１０は、本実施例の情報記録媒体の生産システムの他の構成を示す図である。
【００１９】
なお、以下の説明で使用する「静止画像データ」とは、１枚の独立した画像データであり、ファイル形式によって、全ての画素のデータがそのまま書かれているものや、冗長度を省いて圧縮したデータとして書かれているものがある。例えば、パソコン等で表示可能な形式としてはＪＰＥＧ方式で圧縮されて書かれる方式が一般的であり、家庭用画像再生機器で再生可能な形式としてＶｉｄｅｏＣＤ形式やＤＶＤ−Ｖｉｄｅｏ形式があるが、他の方式で圧縮されたファイルや圧縮されていないファイルであってもよい。
【００２０】
また、「動画データ」とは、ある一定時間間隔で画像を切り変えて表示するためのデータである。例えば、ＭＰＥＧなどのファイルでは、基準となる画像のデータは独立したデータとして書かれており、それだけで画像の再現が可能であるが、それ以降は、基準画像との差分だけが記録されるため、基準の画像と比較して初めて画像が再現される。
【００２１】
まず、本発明の一実施例に係る情報記録媒体生産システムの構成について、図１を参照して説明する。本実施例の情報記録媒体生産システム１は、写真画像を未現像ネガフィルム４ａとして提供する顧客３と、未現像ネガフィルム４ａを現像して画像データを読み取り、読み取った画像データをパソコン３ａ等のコンピュータ端末で読み取り可能な形式及びＤＶＤプレーヤー等の家庭用画像再生機器３ｂで読み取り可能な形式の静止画像データに変換し、また、該静止画像データに差分ファイルを付加して動画データを生成し、アプリケーションや楽曲音声データと共に、ＣＤ−Ｒ、ＤＶＤ−Ｒ等の情報記録媒体５に書き込むラボ２とから構成される。
【００２２】
また、図２に示すように、ラボ２には、顧客３が提供した未現像ネガフィルム４ａを現像する現像手段２ａと、現像したフィルムから画像データを読み取る読み取り手段２ｂと、読み取った画像データをパソコン３ａ等のコンピュータ端末で読み取り可能なＪＰＥＧ等の形式及びＤＶＤプレーヤー等の家庭用画像再生機器３ｂで読み取り可能なＶｉｄｅｏＣＤ等の形式の静止画像データに変換するデータ形式変換手段２ｃと、静止画像データに基づいて動画データを生成する動画データ生成手段２ｄと、情報記録媒体５に各画像再生機器で再生可能な静止画像データ、動画データ、楽曲音声データ、スライドショープログラムやＴＶ画面表示用アプリケーションを書き込む書き込み手段２ｅと、スライドショープログラムやＴＶ画面表示用アプリケーションを記憶するアプリケーション記憶手段２ｆと、楽曲音声データを記録する楽曲音声データ記憶手段２ｇとを備えている。
【００２３】
なお、上記各手段は別々に構成されていてもよく、また、現像手段２ａと読み取り手段２ｂ、データ形式変換手段２ｃと動画データ生成手段２ｄ、データ形式変換手段２ｃと動画データ生成手段２ｄと書き込み手段２ｅ等の２以上の手段が一体的に構成されていてもよい。また、情報記録媒体５に楽曲音声データを記録しない場合は、楽曲音声データ記憶手段２ｇを備える必要はない。更に、読み取り手段２ｂで読み取った画像データを基にして、通常のプリントを作成するプリンタを設けてもよい。このプリンタとしては、特に種類を問わず、インクジェットタイプ、電子写真タイプ、銀塩タイプ等種々のものを用いることができる。
【００２４】
また、以下では、顧客３がラボ２に未現像ネガフィルム４ａの現像及び情報記録媒体５の作成を依頼する場合を例にして説明するが、コンビニエンスストア等の注文店舗を経由して依頼を行う構成としてもよい。また、顧客３は画像データを未現像のネガフィルム４ａとして提供する場合を主に説明するが、現像済みのネガフィルムやポジフィルム（現像済みでも未現像でも可）を提供する構成としたり、図９に示すように、プリントやデジタルカメラで取得した画像データを記録したコンパクトフラッシュ（登録商標）やスマートメディア、メモリースティック（登録商標）、マルチメディアカード、ＳＤメモリーカードなどのメモリーカードやＣＤ−Ｒなどの情報記録媒体６を提供する構成としても良い。
【００２５】
上記構成の情報記録媒体生産システム１を用いて、顧客３がラボ２に未現像ネガフィルム４ａを持ち込んでから複数の画像再生機器で再生可能な静止画像データ、動画データ、楽曲音声データ及びアプリケーションが書き込まれた情報記録媒体５を入手するまでの手順について、図３のフローチャート図を参照して説明する。
【００２６】
まず、ステップＳ１０１において、顧客３はフィルムカメラで撮影した未現像ネガフィルム４ａをラボ２等のフォトサービス店舗に持ち込み、未現像ネガフィルム４ａの現像と情報記録媒体５の作成を依頼する。この未現像ネガフィルム４ａに記録されている写真画像は顧客自らが撮影したものであっても良く、他の顧客が撮影したものでも良い。また、カメラで撮影して取得した写真画像に限らず、インターネット等の通信ネットワークを介して取得した画像データや、画像加工ソフトウェアを使用して顧客が加工した画像データであっても良い。
【００２７】
その後、依頼を受けたラボ２では現像処理を開始するが、情報記録媒体５に、パソコン３ａや家庭用画像再生機器３ｂでスライド表示する際に静止画像データと共に演奏する楽曲音声データを記録する場合には、ステップＳ１０２において、ラボ２は顧客３に対して楽曲音声データ記憶手段２ｇに記憶されている楽曲音声データの一覧を提示し、顧客３は一覧の中から所望の楽曲音声データを選択する。なお、情報記録媒体５に楽曲音声データを記録しない場合はこのステップは省略してもよく、また、楽曲音声データをラボ２が独自に設定する構成としたり、ラボ２に楽曲音声データ選択端末を設置し、端末上で顧客３が楽曲音声データを選択する構成としてもよい。
【００２８】
そして、ステップＳ１０３において、ラボ２は現像手段２ａを用いて未現像ネガフィルム４ａを現像し、ステップＳ１０４で現像したネガフィルムをスキャナ等の読み取り手段２ｂを用いて読み取り、画像データを取得する。その後、ステップＳ１０５で、後述するように必要に応じて静止画像データの解像度を選択した後、ステップＳ１０６で、データ形式変換手段２ｃを用いて、読み取った画像データをパソコン３ａ等のコンピュータ端末で読み取り可能な形式（例えば、ＪＰＥＧ、ＢＭＰ、ＪＩＦ等）と、ＤＶＤプレーヤー等の家庭用画像再生機器３ｂで読み取り可能な形式（例えば、ＶｉｄｅｏＣＤ形式等）のデータに変換する。
【００２９】
なお、家庭用画像再生機器３ｂの機種によって読み取り可能なデータ形式が異なる場合は、予め顧客３に家庭用画像再生機器３ｂの機種を問い合わせ、該機器に適したデータ形式に変換する構成としても良く、また、パソコン３ａの場合は、静止画像データをどの形式で情報記録媒体５に記録するかを顧客３が選択できる構成としてもよい。
【００３０】
また、この静止画像データの解像度は任意に定めることができるが、顧客３が高精細な写真画像を希望する場合には高解像度（例えば、１０２４×１５３６程度）のデータとし、顧客３がサイズの小さい画像データを希望する場合には解像度が低い（例えば、３５０×２５６程度）のデータとしてもよい。また、パソコン３ａ用の静止画像データと家庭用画像再生機器３ｂ用の静止画像データの解像度を変え、例えば、画像処理等の加工を行うパソコン３ａでは静止画像データを高解像度とし、単に画像データを表示するのみの家庭用画像再生機器３ｂでは低解像度とすることもできる。更に、パソコン３ａで読み取り可能な形式のデータとして、スライドショーにおいて画像データを選択する際に表示するサムネイルデータも同時に生成してもよい。
【００３１】
なお、顧客３が画像データを現像済みのネガフィルムや情報記録媒体６として提供した場合は、ステップＳ１０３の現像処理は省略することができ、また、情報記録媒体６として提供した場合は、ステップＳ１０４で情報記録媒体６から画像データを直接読み込めばよい。
【００３２】
次に、ステップＳ１０７において、動画データ生成手段２ｄにより、読み取り手段２ｂで読み取った静止画像データを基にした動画データの生成を行う。ここで生成する動画データとしては、静止画像データに基づいて生成される任意の動画データが含まれ、例えば、静止画像データに予め定められたスライド効果に基づく差分データを付加して生成する動画データとすることができる。この動画データの形式は、ＭＰＥＧ１、ＭＰＥＧ２等の家庭用画像再生機器３ｂで認識可能な任意の形式とすることができ、動画データをどの形式で情報記録媒体５に記録するかを顧客３が選択できる構成としてもよい。
【００３３】
なお、静止画像データに差分データを付加して動画データを生成する方法としては、本願出願人の先願（特願２００２−５１９１６号）に記載された方法が好適である。この先願記載の動画データ生成方法について、図５乃至図８を参照して概説する。図５及び図６は、静止画像データが所定の時間間隔で順次切り替わる第１の形態の動画データの生成方法を模式的に示す図であり、図７及び図８は、所定のスライド効果に従って静止画像データが徐々に切り替わる第２の形態の動画データの生成方法を模式的に示す図である。
【００３４】
第１の形態では、図５及び図６に示すように、動画データ生成手段２ｄでは、スライド効果により予め定められた一つの静止画像データを表示する時間から該時間内に表示される画像データの数量を演算するステップ（Ｓ２０１）と、読み取り手段２ｂにより読み取られた複数の静止画像データ９を順次抽出するステップ（Ｓ２０２）と、前記数量分の差分データ（ここでは同一の画像を表示するため差分は”０”となる。以下差分０データ１０ａと呼ぶ。）を生成するステップ（Ｓ２０３）と、抽出した静止画像データ９に生成した差分０データ１０ａを付加した複合データ１１を生成するステップ（Ｓ２０４）と、複合データ１１を繋ぎ合わせて動画データ１２を生成するステップ（Ｓ２０５）とが実行される。
【００３５】
すなわち、この動画データ生成方法は、単に静止画像データ９を繋ぎ合わせるのではなく、表示時間から演算した数量分の差分０データ１０ａを各々の静止画像データ９に付加し、静止画像データ９と差分０データ１０ａとからなる複合データ１１を生成し、この複合データ１１を繋ぎ合わせるものであり、このような処理を施すことにより、静止画像データ９をスライドショーで表示する場合と同様の表示効果を持つ動画データ１２を生成することができる。
【００３６】
また、第２の形態では、図７及び図８に示すように、動画データ生成手段２ｄでは、スライド効果により予め定められた一つの静止画像データを表示する時間から該時間内に表示される画像データの数量を演算するステップ（Ｓ３０１）と、読み取り手段２ｂにより読み取られた複数の静止画像データ９を順次抽出するステップ（Ｓ３０２）と、前記数量の内、同じ画像を表示する数量分の差分０データ１０ａを生成するステップ（Ｓ３０３）と、前記数量の内、画面切り替え効果を表示する数量分の差分データ（以下、変化データ１０ｂと呼ぶ。）を生成するステップ（Ｓ３０４）と、抽出した静止画像データ９に生成した差分０データ１０ａと変化データ１０ｂとを付加した複合データ１１を生成するステップ（Ｓ３０５）と、複合データ１１を繋ぎ合わせて動画データ１２を生成するステップ（Ｓ３０６）とが実行される。このような方法を用いることにより、静止画像データ９から効果的な動画データ１２を容易に形成することができる。
【００３７】
そして、ステップＳ１０８で、データ形式変換手段２ｃで生成したパソコン３ａ用と家庭用画像再生機器３ｂ用の静止画像データと、動画データ生成手段２ｄで生成した動画データと、各々の画像再生機器でスライド表示を行うためのアプリケーションと、各々の画像再生機器に対応する形式の楽曲音声データとを書き込み手段２ｅを用いてコンピュータで読み取り可能な状態で情報記録媒体５に書き込む。この情報記録媒体５としては、前述したようにＣＤ−Ｒ、ＤＶＤ−Ｒ等の家庭用画像再生機器３ｂで再生可能な媒体であればよい。
【００３８】
なお、書き込みに際して、動画データをＤＶＤプレーヤー等の家庭用画像再生機器３ｂで再生できるように、初めに動画データを書き込み、その後、静止画像データと楽曲音声データとスライド表示用アプリケーションとを書き込むことが好ましい。また、顧客３のパソコン３ａに予めスライドショープログラムがインストールされている場合は、スライドショープログラムの書き込みを省略することもでき、情報記録媒体５にスライドショープログラムを記録するか否かを顧客３が選択できる構成とすることもできる。
【００３９】
上記手順でデータ及びプログラムが書き込まれた情報記録媒体５は、例えば図４に示すようなフォルダ構成となる。すなわち、パソコン３ａで画像データを再生する場合に用いるパソコン用データ領域（Autrun.infからＢＧＭ＿ＰＣまで）と、ＤＶＤプレーヤー等の家庭用画像再生機器３ｂで再生する場合に用いる家庭用画像再生機器用データ領域（ＣＤＩからＢＧＭ＿ＴＶまで）とから構成され、パソコン用データ領域は、情報記録媒体５に記録されたデータをパソコン３ａで認識し自動的に再生するための情報ファイル（Autrun.inf）及び（又は）実行ファイル（Autrun.exe）と、静止画像データを格納するフォルダ（ＤＣＩＭ）と、スライドショープログラムを格納するアプリケーションプログラム格納フォルダ（Photoviewer）と、スライドショーでＢＧＭとして再生する楽曲音声データを格納するフォルダ（ＢＧＭ＿ＰＣ）とを含み、家庭用画像再生機器用データ領域は、ＴＶ画面に静止画像データを表示するためのアプリケーションを格納するフォルダ（ＣＤＩ）と、動画データ生成手段３ｄで生成した動画データを格納するフォルダ（ＭＰＥＧＡＶ）と、ＴＶ画面に表示する画像情報データを格納するフォルダ（Segment）と、画像情報データをＶｉｄｅｏＣＤ形式用データとして関連付けるファイルを格納するフォルダ（ＶＣＤ）と、ＴＶ用スライドショーのＢＧＭとして再生する楽曲音声データを格納するフォルダ（ＢＧＭ＿ＴＶ）とを含んでいる。
【００４０】
また、パソコン用データ領域の静止画像データの格納フォルダには、ロット毎の静止画像データを格納するフォルダ（10001ce、10101ce等）があり、各々のフォルダには静止画像データ（R1000001.jpg等）と対応するサムネイルデータ（T1000001.jpg等）が含まれ、スライドショーＢＧＭ格納フォルダにはパソコン３ａで再生可能な楽曲音声データ（BGM001.mp3等）が含まれている。また、家庭用画像再生機器用データ領域のＴＶ用スライドショーＢＧＭ格納フォルダには家庭用画像再生機器３ｂで再生可能な楽曲音声データ（BGM001.mid等）が含まれている。
【００４１】
また、動画データの画像フォーマットとしてＭＰＥＧ１を用い、情報記録媒体５としてＣＤ−Ｒに記録すれば、ＶｉｄｅｏＣＤのディスクを作成することができ、動画データの画像フォーマットとしてＭＰＥＧ２を用い、情報記録媒体５としてＤＶＤ−Ｒに記録すれば、ＤＶＤ−Ｖｉｄｅｏのディスクを作成することができ、一般のＤＶＤプレーヤーで再生することができる。
【００４２】
この図４の構成は例示であり、少なくともパソコン３ａで画像データを表示するための静止画像データ及びスライドショープログラムと、家庭用画像再生機器３ｂで画像データを表示するためのＴＶ用画像情報データ、ＶｉｄｅｏＣＤ形式用関連付けファイル及びＴＶ画面表示用アプリケーションを含んでいればよく、図４に記載したデータやプログラム以外に、例えば、パソコン３ａで電子アルバムを表示するためのプログラム、楽曲音声データを取得するためのプログラム、データとプログラムをセットとして出力するためのプログラム等を含む構成としてもよい。
【００４３】
その後、ステップＳ１０９において、ラボ２は、この情報記録媒体５と現像済みネガフィルム４ｂとを顧客３に提供し、顧客３は、自宅のパソコン３ａ等のコンピュータ端末又はＤＶＤプレーヤー等の家庭用画像再生機器３ｂを用いて写真画像を閲覧する。
【００４４】
なお、情報記録媒体５をパソコン３ａで再生する場合に用いるスライドショープログラムとしては、本願発明者の先願（特願２００２−１３７８９号）において開示したプログラムが好適である。このプログラムでは、静止画像データと楽曲音声データとが独立して表示／演奏されるのではなく、相互に関連づけて表示／演奏されるため、静止画像データと楽曲音声データとが一体となって再生されるスライドショーを楽しむことができる。
【００４５】
具体的には、上記スライドショープログラムは、コンピュータを、楽曲音声データの演奏時間を演算する処理や楽曲音声データのテンポ、フレーズ、音声データ、休止符を抽出する処理、静止画像データの表示タイミングを設定する処理等を行う楽曲音声データ分析手段や、静止画像データから特定の形状や色彩を抽出する処理、静止画像データの特徴を参照して画像データに適した楽曲音声データを選択する処理等を行う画像データ分析手段として機能させることができる。
【００４６】
そして、例えば、楽曲音声データの形式やサイズ、ヘッダ情報等から楽曲音声データの演奏時間を抽出し、その演奏時間を表示する静止画像データの数で割って１静止画像データ当たりの表示時間を演算し、楽曲音声データの演奏終了と同時に静止画像データの表示が終了するようにしたり、複数の楽曲音声データの演奏終了と同時に静止画像データの表示が終了するようにスライドショーを設定することができる。
【００４７】
また、楽曲音声データの強弱、周波数等から楽曲音声データのテンポを抽出し、楽曲音声データのテンポに合わせてスライド効果の時間（例えば、フェードイン／フェードアウトの時間）を設定し、テンポの速い楽曲の場合はスライド効果を早くし、逆にテンポの遅い楽曲の場合はスライド効果の時間を長くして、楽曲のテンポとスライド効果との整合を図ることもできる。
【００４８】
また、楽曲音声データの強弱、周波数等から楽曲音声データの音声データや休止符を抽出して楽曲をフレーズ毎に分割し、例えば、１フレーズに１枚の静止画像データが表示されるようにスライドショーを設定することもでき、楽曲音声データのフレーズと静止画像データの表示とを同期させることにより、楽曲と画像との一体感が生まれ、スライドショーの効果を高めることもできる。
【００４９】
このように、本実施例の情報記録媒体生産システム１を用いれば、顧客３は未現像ネガフィルム４ａを提供するのみで、ラボ２でフィルムから画像データを読み取り、パソコン３ａ及び家庭用画像再生機器３ｂに対応する形式の静止画像データや予め定めたスライド効果に基づいて動画データを生成し、情報記録媒体５に、各画像再生機器で再生可能な静止画像データと動画データと必要に応じて楽曲音声データとスライド表示用アプリケーションとのセットが２種類コンピュータで読み取り可能な状態で書き込まれるため、顧客３は家庭用画像再生機器３ｂ又はパソコン３ａのいずれの機器を用いても写真画像を楽しむことができる。
【００５０】
また、各画像再生機器に対応した静止画像データを生成するに際して、パソコン３ａ用と家庭用画像再生機器３ｂ用とで静止画像データの解像度を変え、パソコン３ａ用の静止画像データの解像度を高くすることによって、パソコン３ａで静止画像データを加工する顧客や静止画像データを表示するのみの顧客の双方に適した情報記録媒体５を提供することができる。
【００５１】
なお、上記説明では、ラボ２内に楽曲音声データを記憶する手段２ｇを備える構成としたが、図１０に示すように、ラボ２を通信ネットワーク８を介して楽曲音声データの配信サービスを行うサーバー７と接続することもできる。このような構成とすることにより、ラボ２側で楽曲音声データの記憶やデータの更新作業を行う必要がなくなり、顧客３に常に最新の楽曲音声データを提供することができる。
【００５２】
また、上記説明では、情報記録媒体５に静止画像データとアプリケーションとを含むセットを２種類記録する構成としたが、本発明は上記実施例に限定されるものではなく、３種類以上の画像再生機器に対応可能とするために３種類以上のセットを記録する構成としてもよい。
【００５３】
【発明の効果】
以上説明したように、本発明の情報記録媒体及び該情報記録媒体の生産方法によれば、下記記載の効果を奏する。
【００５４】
本発明の第１の効果は、顧客はフィルムカメラで撮影したフィルムやデジタルカメラで撮影した画像データを記録した情報記録媒体を提供するのみで、ＤＶＤプレーヤー等の家庭用画像再生機器でもパソコン等のコンピュータ端末でも再生可能な情報記録媒体を入手することができるということである。
【００５５】
その理由は、フィルムの現像を行うラボ等のフォトサービス店舗に、フィルムから読み取った画像データをパソコン及び家庭用画像再生機器の各々に対応する静止画像データに変換する手段及び静止画像データから動画データを作成する手段を備え、情報記録媒体には、これらの画像データに加えて、各々の機器でスライド表示するためのアプリケーションや関連付けファイルが記録されて顧客に提供されるからである。
【００５６】
本発明の第２の効果は、高精細な写真画像をじっくりと閲覧したり写真画像を加工することを望む顧客や簡便に写真画像を閲覧することを望む顧客の双方が満足する情報記録媒体を提供することができるということである。
【００５７】
その理由は、読み取った画像データをパソコン及び家庭用画像再生機器の各々に対応する静止画像データに変換するに際して、顧客の好みに応じて各々の機器用の静止画像データの解像度を変え、例えば、パソコン用の静止画像データの解像度を高くする等、自由に解像度を設定することができるからである。
【図面の簡単な説明】
【図１】本発明の一実施例に係る情報記録媒体生産システムの構成を模式的に示す図である。
【図２】本発明の一実施例に係るラボに備える手段を示すブロック図である。
【図３】本発明の一実施例に係る情報記録媒体の生産方法の手順を示すフローチャート図である。
【図４】本発明の一実施例に係る情報記録媒体のフォルダ構成を示す図である。
【図５】先願に係る動画データの生成方法を示す図である。
【図６】先願に係る動画データの生成方法を示す図である。
【図７】先願に係る動画データの生成方法を示す図である。
【図８】先願に係る動画データの生成方法を示す図である。
【図９】本発明の一実施例に係る情報記録媒体生産システムの他の構成を示す図である。
【図１０】本発明の一実施例に係る情報記録媒体生産システムの他の構成を示す図である。
【符号の説明】
１  情報記録媒体生産システム
２  ラボ
２ａ  現像手段
２ｂ  読み取り手段
２ｃ  データ形式変換手段
２ｄ  動画データ生成手段
２ｅ  書き込み手段
２ｆ  アプリケーション記憶手段
２ｇ  楽曲音声データ記憶手段
３  顧客
３ａ  パソコン
３ｂ  家庭用画像再生機器
４ａ  未現像ネガフィルム
４ｂ  現像済みネガフィルム
５  情報記録媒体
６  情報記録媒体
７  サーバー
８  通信ネットワーク
９  静止画像データ
１０ａ  差分０データ
１０ｂ  変化データ
１１  複合データ
１２  動画データ
【図１】
0004892162.tif 000002
【図２】
0004892162.tif 000003
【図３】
0004892162.tif 000004
【図４】
0004892162.tif 000005
【図５】
0004892162.tif 000006
【図６】
0004892162.tif 000007
【図７】
0004892162.tif 000008
【図８】
0004892162.tif 000009
【図９】
0004892162.tif 000010
【図１０】
0004892162.tif 000011